(57)【要約】【課題】電磁弁の開弁速度を改善する。【解決手段】電磁弁は、コイルと、コイルの内側に配置されているとともに、コイルから生じる磁束の磁路を構成する筒状のコアと、コアに対して軸方向に移動可能であり、コイルに通電したときに第１方向に移動してコアの内側に収容され、コイルへの通電を停止したときに第１方向とは反対向きの第２方向に移動するプランジャを備える。この電磁弁では、プランジャは、断面積が第２方向に向かうに従って増大している傾斜部と、傾斜部より第２方向側に設けられており、傾斜部の最大断面積部分より断面積が小さい第１サイズ部を有している。【選択図】  図１
2020057703.tif 000002
【特許請求の範囲】
【請求項１】
コイルと、
コイルの内側に配置されているとともに、コイルから生じる磁束の磁路を構成する筒状のコアと、
前記コアに対して軸方向に移動可能であり、コイルに通電したときに第１方向に移動して前記コアの内側に収容され、コイルへの通電を停止したときに第１方向とは反対向きの第２方向に移動するプランジャと、を備える電磁弁であって、
プランジャは、
断面積が第２方向に向かうに従って増大している傾斜部と、
傾斜部より第２方向側に設けられており、傾斜部の最大断面積部分より断面積が小さい第１サイズ部と、を有している電磁弁。
【請求項２】
請求項１に記載の電磁弁であって、
プランジャは、第１サイズ部より第２方向側に設けられており、断面積が前記最大断面積部分より大きい第２サイズ部を有しており、
前記コアは、プランジャが第１方向に移動したときに傾斜部を収容可能な第１収容部と、プランジャが第１方向に移動したときに第２サイズ部を収容可能であり、第１収容部よりサイズが大きい第２収容部と、を有する電磁弁。
【請求項３】
請求項１または２に記載の電磁弁であって、
プランジャが第１方向に移動するときに、第２収容部への第２サイズ部の収容が、第１収容部への傾斜部の収容より先に行われる電磁弁。
【発明の詳細な説明】
【技術分野】
【０００１】
本明細書は、電磁弁に関する技術を開示する。
【背景技術】
【０００２】
特許文献１に、コイルとコアとプランジャを備えた電磁弁が開示されている。コイルはコアに固定されており、プランジャはコアに対して一方向の往復運動することが可能である。すなわち、プランジャは、コアに対して軸方向に移動可能である。この電磁弁は、コイルに通電することによってプランジャとコアの間に磁気吸引力を発生させ、プランジャを軸方向に移動させる。プランジャには弁体が取り付けられている。コイルへの通電と非通電を切換えることにより、弁体が軸方向に移動し、電磁弁の開閉が切換る。特許文献１の電磁弁では、プランジャの端部をコアに向けて軸方向に鋭角に突出させ、また、コアをプランジャに向けて軸方向に鋭角に突出させている。
【先行技術文献】
【特許文献】
【０００３】
【特許文献１】特開２０１３−１６７０１号公報
【発明の概要】
【発明が解決しようとする課題】
【０００４】
上記したように、特許文献１の電磁弁は、プランジャ及びコアに鋭角に突出する突出部分を設け、通電時に突出部分に磁束を集中させ、強い磁気吸引力を発生させている。それにより、通電初期（プランジャの移動開始初期）にプランジャの推力（コアに向けて移動する力）を確保している。しかしながら、特許文献１では、プランジャの側面（軸方向に直交する面）が、コアの表面（内面）と近接して対向する。その結果、プランジャの側面からコアの表面に向けて磁束が形成され、プランジャが横方向（軸方向に直交する方向）に吸引され、推力が低下する。プランジャの推力が低下すると、プランジャの移動速度が低下し、電磁弁が完全に開弁するまでの時間が長くなる（開弁速度が遅くなる）。本明細書は、電磁弁の開弁速度を改善する技術を提供する。
【課題を解決するための手段】
【０００５】
本明細書で開示する第１技術は、電磁弁であって、コイルと、筒状のコアと、コアに対して軸方向に移動可能なプランジャを備えていてよい。コアは、コイルの内側に配置されているとともに、コイルから生じる磁束の磁路を構成してよい。プランジャは、コアに対して軸方向に移動可能であり、コイルに通電したときに第１方向に移動してコアの内側に収容され、コイルへの通電を停止したときに第１方向とは反対向きの第２方向に移動してよい。この電磁弁では、プランジャは、断面積が第２方向に向かうに従って増大している傾斜部と、傾斜部より第２方向側に設けられており、傾斜部の最大断面積部分より断面積が小さい第１サイズ部を有していてよい。
【０００６】
本明細書で開示する第２技術は、上記第１技術の電磁弁であって、プランジャは、第１サイズ部より第２方向側に設けられており、断面積が傾斜部の最大断面積部分より大きい第２サイズ部を有していてよい。また、コアは、プランジャが第１方向に移動したときに傾斜部を収容可能な第１収容部と、プランジャが第１方向に移動したときに第２サイズ部を収容可能であり、第１収容部よりサイズが大きい第２収容部を有していてよい。
【０００７】
本明細書で開示する第３技術は、上記第２技術の電磁弁であって、プランジャが第１方向に移動するときに、第２収容部への第２サイズ部の収容が、第１収容部への傾斜部の収容より先に行われてよい。
【発明の効果】
【０００８】
第１技術によると、プランジャの第１方向への移動過程（電磁弁が開弁を開始してから電磁弁が完全に開くまでの間）で、プランジャに形成される磁束が傾斜部の最大断面積部分（軸方向に直交する方向に最も突出している部分）に集中する。その結果、プランジャに強い磁気吸引力が作用し、プランジャの軸方向への推力（プランジャを軸方向に移動させる力）を大きくすることができる。また、プランジャがコア内を移動している間、コアの表面（表面）にはプランジャの側面のうちの第１サイズ部が対向する。第１サイズ部の断面積（軸方向に直交する方向のサイズ）は、傾斜部の最大断面積部分より小さい。そのため、プランジャがコア内を移動している、コアの表面とプランジャの側面（第１サイズ部）の間に大きな隙間を確保することができる。そのため、プランジャの側面がコアの表面に向かう磁束が形成されにくく、プランジャを横方向（側方）に吸引する力が生じにくい。その結果、プランジャが軸方向に移動している途中においてプランジャの移動速度が低下することが抑制され、電磁弁の開弁速度を速くする（電磁弁の開弁開始から完全に開弁するまでに要する時間を短くする）ことができる。なお、電磁弁が開弁するときにプランジャが移動する方向が第１方向であり、電磁弁が閉弁するときにプランジャが移動する方向が第２方向である。
【０００９】
なお、プランジャ、傾斜部及び第１サイズ部の断面形状（軸方向に直交する面の形状）は、円形、多角形、楕円形等、種々の形状を取り得る。また、プランジャ、傾斜部及び第１サイズ部の断面形状は、同種の形状であってもよいし、一部あるいは全て異なっていてもよい。製造の容易さ、プランジャの移動軸（中心軸）からプランジャの外周までの距離が一定になる等の理由により、プランジャ，傾斜部及び第１サイズ部の断面形状は、円形であることが好ましい。この場合、傾斜部の最大断面積部分は、傾斜部の最大径部分と捉えることができる。また、第１サイズ部は、最大径部分より小径の小径部と捉えることができる。
【００１０】
第２技術によると、プランジャの移動初期（電磁弁の開弁初期）と、プランジャの移動中期（電磁弁の開度が大きくなっていく期間）において、プランジャに強い磁気吸引力を作用させることができる。そのため、プランジャの軸方向への移動途中に移動速度が低下することを、さらに抑制することができる。なお、第２技術は、（１）傾斜部が先に第１収容部に収容され、後に第２サイズ部が第２収容部に収容される形態と、（２）第２サイズ部が先に第２収容部に収容され、後に傾斜部が第１収容部に収容される形態の双方を含む。また、第２サイズ部の断面形状が円形の場合、第２サイズ部は、第１サイズ部よりサイズが大きい（小径部より大径の）大径部と捉えることができる。
【００１１】
上記（１）の場合、プランジャの移動初期に傾斜部（最大断面積部分）と第１収容部の端部の間に集中して磁束が形成され、プランジャに強い磁気吸引力を作用させることができる。その後、プランジャの移動中期に第２サイズ部が第２収容部の端部に近接し、両者の間に集中して磁束が形成され、移動中期にもプランジャに強い磁気吸引力を作用させることができる。なお、上記（１）の場合、プランジャの移動終了までの間に傾斜部が第１収容部内を移動する距離が、第２サイズ部が第２収容部内を移動する距離より長い。傾斜部が第１収容部内を移動している間、コアの表面は第１サイズ部と対向し、プランジャを横方向に吸引する磁気吸引力の発生を抑制することができる。上記（１）の形態は、プランジャの軸方向への移動速度の低下を抑制するという点において有用である。
【００１２】
上記（２）の場合、上記（１）とは反対に、プランジャの移動初期に第２サイズ部と第２収容部の間に集中して磁束が形成され、その後、傾斜部と第１収容部の端部の間に集中して磁束が形成される。そのため、上記（２）の場合、プランジャの移動終了までの間に第２サイズ部が第２収容部内を移動する距離が、傾斜部が第１収容部内を移動する距離より長い。そのため、上記（２）の形態は、上記（１）の形態と比較して、プランジャの移動が終了したときに、第２サイズ部の第２収容部への侵入深さが深い。プランジャの移動が終了したときに広い面積でコアとプランジャが対向するので、電磁弁の開弁状態が維持され易い。
【００１３】
第３技術は、上記第２技術における（２）の形態に相当する。上記したように、上記（２）の形態は、電磁弁の開弁状態を維持し易い。換言すると、コイルの巻数，コイルへの通電量（電流値）を大きくすることなく、電磁弁が開弁状態を維持するために必要な磁気吸引力をプランジャに作用させることができる。上記（２）の形態、すなわち、第３技術は、コンパクトな電磁弁を実現するという点で有用である。
【図面の簡単な説明】
【００１４】
【図１】第１実施例の電磁弁の閉弁状態の断面図を示す。
【図２】第１実施例の電磁弁の開弁状態の断面図を示す。
【図３】第１実施例の電磁弁の閉弁状態から開弁状態に変化する途中の断面図を示す。
【図４】第１実施例の電磁弁の閉弁状態から開弁状態に変化する途中の断面図を示す。
【図５】第１実施例の電磁弁と比較例の電磁弁の動作を説明するための図を示す。
【図６】第１実施例の電磁弁と比較例の電磁弁の動作を説明するための図を示す。
【図７】第２実施例の電磁弁の部分断面図を示す。
【図８】第３実施例の電磁弁の部分断面図を示す。
【図９】第４実施例の電磁弁の部分断面図を示す。
【発明を実施するための形態】
【００１５】
（第１実施例）
図１から図４を参照し、電磁弁５０について説明する。なお、図１は電磁弁５０が閉弁している（開弁率０％）状態を示し、図２は電磁弁５０が完全に開弁している（開弁率１００％）状態を示し、図３及び図４は、電磁弁５０が閉弁状態から開弁状態（開弁率１００％）に切換る途中の状態を示している。なお、電磁弁５０は、気体流路３０と気体流路２６の連通と遮断を切換える。具体的には、電磁弁５０は、壁２８で囲われた範囲に形成されている気体流路３０と、壁２８の外部であり、壁２４の内側に形成されている気体流路２６の連通と遮断を切換える。電磁弁５０は、例えば、内燃機関の過給機のエアバイパスバルブとして好適に用いられる。
【００１６】
図１に示すように、電磁弁５０は、ケース２，ヨーク４，コイル６，コア（ステータコア）１０を有する固定子１５と、プランジャ４６，連結シャフト４２，弁体４０を有する可動子４５を備えている。ケース２は、フランジ部２０を備えている。フランジ部２０は、気体流路２６を画定する壁２４に固定されている。固定子１５と可動子４５の間にばね１４が配置されている。可動子４５（弁体４０）は、ばね１４によって壁２８に付勢されており、壁２４の開口（気体流路３０）を塞いでいる。
【００１７】
ヨーク４，コイル６，コア１０は、ケース２内に配置されている。コイル６は、ヨーク４に収容されている。また、コア１０は筒状であり、ヨーク４の内側に配置されている。コア１０には、プランジャ４６の先端側（第１方向６２側）を収容する収容部１２が設けられている。詳細は後述するが、収容部１２には、プランジャ４６の傾斜部５６を収容する第１収容部１６と、プランジャ４６の大径部５２を収容する第２収容部１８が設けられている。ヨーク４及びコア１０は、磁性材料で形成されている。そのため、コイル６に通電することによって生じた磁束は、ヨーク４及びコア１０内を通る。すなわち、ヨーク４及びコア１０は、磁路を構成する。コイル６に通電すると、可動子４５が固定子１５に吸引され、可動子４５（弁体４０）が壁２８から離れる。その結果、気体流路３０と気体流路２６が連通する。
【００１８】
プランジャ４６は、磁性材料で形成されている。そのため、コイル６に通電すると、プランジャ４６に磁気吸引力が作用し、プランジャ４６（可動子４５）が軸６０に沿って第１方向６２側に移動する。軸６０は、プランジャ４６の中心軸、あるいは、移動軸と称することができる。プランジャ４６には、傾斜部５６と小径部５４と大径部５２が設けられている。傾斜部５６は、第２方向６４（軸６０に沿って第１方向６２とは反対側）に向かうに従って径（軸６０に直交する第３方向の長さ）が増大しており、略円錐状である。そのため、傾斜部５６の断面（第３方向に沿った断面）は、円形である。小径部５４は、傾斜部５６より第２方向６４側に設けられており、傾斜部５６の最大径部分より小径である（傾斜部５６の最大断面積部分より断面積が小さい）。小径部５４は、円柱状である。大径部５２は、小径部５４より第２方向６４側に設けられており、傾斜部５６の最大径部分より大径である（傾斜部５６の最大断面積部分より断面積が大きい）。大径部５２も円柱状である。なお、小径部５４は第１サイズ部の一例であり、大径部５２は第２サイズ部の一例である。
【００１９】
また、プランジャ４６には、軸６０に沿って、貫通孔４８が設けられている。連結シャフト４２が、貫通孔４８に取り付けられている。また、弁体４０が、プランジャ４６と連結シャフト４２によって位置決めされている。そのため、可動子４５（プランジャ４６，連結シャフト４２，弁体４０）は、プランジャ４６の移動に伴って一体として移動する。上記したように、弁体４０（可動子４５）は、ばね１４の付勢力によって壁２８の開口を塞ぎ、気体流路３０と気体流路２６を分離している。すなわち、コイル６に通電していないときは電磁弁５０は閉弁しており、コイル６に通電すると、プランジャ４６に作用する磁気吸引力がばね１４の付勢力より大きくなり、電磁弁５０が開弁する。
【００２０】
図２に示すように、可動子４５が第１方向６２に移動すると、プランジャ４６の一部がヨーク４の一部に接触し、プランジャ４６の移動（第１方向６２への移動）が停止する。この状態が、電磁弁５０が完全に開弁した状態（開弁率１００％）である。図２に示すように、電磁弁５０が開弁すると、傾斜部５６が第１収容部１６に収容され、大径部５２が第２収容部１８に収容される。
【００２１】
（電磁弁の開弁動作）
上記したように、電磁弁５０では、コイル６に通電すると、プランジャ４６に磁気吸引力が作用し、プランジャ４６がコア１０（固定子１５）に向かって移動する（図１→図２）。具体的には、コイル６の通電により生じた磁束がプランジャ４６とコア１０を通過するように形成され、プランジャ４６がコア１０に吸引される。図３に示すように、電磁弁５０では、プランジャ４６の移動初期（図１→図３）に、第２収容部１８の角部と、大径部５２の角部が近接し、狭い範囲（破線７０で囲った角部同士）に磁束が集中する。その結果、プランジャ４６に対して大きな磁気吸引力が作用し、コイル６への通電開始から実際にプランジャ４６が移動開始するまでの時間を短くすることができる。すなわち、開弁の際の電磁弁５０の応答性が向上する。
【００２２】
図４に示すように、プランジャ４６が第１方向６２に向かってさらに移動すると（図３→図４）、傾斜部５６の最大径部分（最大断面積部分）が第１収容部１６の角部に近接する（破線７２で囲った部分）。図４に示す状態は、電磁弁５０が閉弁状態から開弁率１００％に切換る途中の状態であり、プランジャ４６の移動中期である（図２を比較参照）。すなわち、電磁弁５０では、プランジャ４６の移動中期においても、プランジャ４６とコア１０の角部同士が近接する。そのため、プランジャ４６の移動中期における速度低下が抑制され、プランジャ４６の移動開始から移動終了までの時間（電磁弁５０の開弁開始から開弁率１００％に至る時間）を短くすることができる。
【００２３】
また、電磁弁５０では、プランジャ４６が図４の状態から第１方向６２に向かってさらに移動するときに（図４→図２）、第１収容部１６の内面に小径部５４が対向しながらプランジャ４６が移動する。上記したように、小径部５４の径は、傾斜部５６の最大径部分より小さい。そのため、第１収容部１６の内面と小径部５４の外面の間に隙間が確保され、第１収容部１６の内面と小径部５４の外面を通過する磁束が形成されにくい。そのため、プランジャ４６に対して横方向（第３方向６６）の磁気吸引力が作用することが抑制され、プランジャ４６の移動中期においてプランジャ４６の移動速度が低下することを抑制することができる。
【００２４】
（電磁弁５０と他の電磁弁との比較１）
上記したように、電磁弁５０は、プランジャ４６の移動中期においてプランジャ４６の移動速度の低下を抑制できるという利点を有している。図５を参照し、この利点について、電磁弁５５０（比較例）と比較して説明する（比較Ｃ１）。なお、電磁弁５５０は、プランジャ５４６が小径部を有していない点が、電磁弁５０と異なる。電磁弁５５０のコア１０は、電磁弁５０のコア１０と同一である。また、図５では、プランジャとコアの一部（プランジャのコアに収容される部分と、コアのプランジャを収容する部分）のみを示している。比較Ｃ１中、タイミングＴ０はプランジャ４６の移動初期を示し、タイミングＴ１はプランジャ４６の移動中期を示し、タイミングＴ２はプランジャ４６の移動終了状態（電磁弁５０の開弁率が１００％の状態）を示している。また、破線９０〜９４は、プランジャ４６，５４６の位置（コア１０に対する侵入深さ）を示している。
【００２５】
図５に示すように、タイミングＴ０では、電磁弁５０において、第２収容部１８の角部と大径部５２の角部が近接し、近接部分に磁束が集中し、矢印８０の方向に磁束が形成される。同様に、電磁弁５５０においても、第２収容部１８の角部と大径部５５２の角部が近接し、近接部分に磁束が集中する。破線９０，９２に示すように、タイミングＴ０からＴ１までの間、プランジャ４６，５４６の第１方向６２への移動量が同一である。すなわち、プランジャの移動初期から移動中期にかけて、電磁弁５０と電磁弁５５０の開弁速度は等しい。
【００２６】
タイミングＴ１においても、第１収容部１６の角部とプランジャ４６の傾斜部５６の最大径部分、第１収容部１６の角部とプランジャ５４６の傾斜部５５６の最大径部分が近接し、近接部分に磁束が集中し、矢印８２の方向に磁束が形成される。そのため、電磁弁５０と電磁弁５５０はともに、プランジャの移動中期（タイミングＴ１）において、プランジャ４６，５４６に大きな磁気吸引力が作用する。
【００２７】
しかしながら、タイミングＴ１以降（傾斜部５６，５５６が第１収容部１６内を移動するとき）、電磁弁５０では第１収容部１６の表面（内面）とプランジャ４６の側面（小径部５４の表面）間に隙間が形成された状態でプランジャ４６が移動するが、電磁弁５５０では第１収容部１６の表面とプランジャ５４６の側面が近接した状態でプランジャ４６が移動する。すなわち、電磁弁５５０ではタイミングＴ１以降、プランジャ５４６に対して横方向（矢印８４方向）に吸引する磁気吸引力が作用し、プランジャ５４６の第１方向６２への移動速度が低下する。一方、電磁弁５０は、第１収容部１６と小径部５４の間に形成された隙間によって、プランジャ４６に対して横方向に吸引する磁気吸引力が作用しにくい。
【００２８】
電磁弁５０は、プランジャ４６に横方向への磁気吸引力が作用することが抑制されているので、タイミングＴ１以降タイミングＴ２に至るまで、プランジャ４６の移動速度が低下しにくい。その結果、電磁弁５０は、電磁弁５５０と比較して、開弁開始から開弁終了（開弁率１００％に至る）までの時間が短い。具体的には、破線９３，９４に示すように、プランジャ４６が破線９４の位置まで移動して電磁弁５０の開弁が終了したときに、プランジャ５４６は破線９３の位置までしか移動しておらず、電磁弁５５０の開弁動作は終了していない。図５の結果は、傾斜部より第２方向６４側（第１方向６２の反対側）に傾斜部の最大径部分より小径の小径部を設けることによって、電磁弁の動作が改善されることを示している。
【００２９】
（電磁弁５０と他の電磁弁との比較２）
図６を参照し、電磁弁５０の利点を、電磁弁６５０，７５０（比較例）と比較して説明する（比較Ｃ２）。なお、電磁弁６５０は、プランジャ６４６に設けられている傾斜部６５６の外径が第２方向に向かうに従って減少している点が電磁弁５０と異なる。すなわち、電磁弁５０と電磁弁６５０は、プランジャに設けられている傾斜部の傾斜方向が逆である。また、電磁弁７５０は、電磁弁５０（プランジャ４６）の傾斜部５６に対応する位置に突出部７５６が設けられているが、突出部７５６の表面（コア７１０に対向する面）が傾斜していない点が電磁弁５０と異なる。すなわち、電磁弁７５０では、プランジャ７４６に傾斜部が設けられていない。なお、コア６１０及び７１０は、第１収容部１６の形状がコア１０と異なるが、実質的にコア１０と同一である。
【００３０】
図６に示すように、電磁弁５０の場合、コイル６（図１等参照）に通電すると、傾斜部５６の表面（傾斜面）とコア１０の間に、矢印９５方向の磁束が形成される。すなわち、傾斜部５６の表面部分に、プランジャ４６を第１方向６２（開弁方向）に向けて移動させる磁気吸引力が作用する。それに対して、電磁弁６５０の場合、傾斜部６５６の表面部分とコア６１０との間に、矢印９６方向の磁束が形成される。その結果、傾斜部５５６の表面部分に、プランジャ６４６を第２方向６４（閉弁方向）に向けて移動させる磁気吸引力が作用する。また、電磁弁７５０の場合、突出部７５６とコア７１０との間に矢印９７方向の磁束が形成され、プランジャ７４６に対して移動方向（第１方向６２）に直交する方向（第３方向６６）に磁気吸引力が作用する。電磁弁６５０，７５０は、プランジャに対して、プランジャが第１方向６２に移動することを妨げる磁気吸引力が作用する。図６の結果は、傾斜部が第２方向６４に向かうに従って径が増大していることによって、電磁弁の動作が改善されることを示している。
【００３１】
比較Ｃ１及び比較Ｃ２で示したように、電磁弁５０は、傾斜部５６の径が第２方向６４に向かう（傾斜部５６の断面積が第２方向６４に向かう）に従って増大しており、傾斜部５６より第２方向６４側に傾斜部５６の最大径部分より小径の（傾斜部５６の最大断面積部分より断面積が小さい）小径部５４を設けることにより、電磁弁の動作（開弁速度）が改善されることを示している。
【００３２】
（変形例）
図７から図９を参照し、電磁弁５０の変形例（電磁弁１５０，２５０，３５０）について説明する。なお、電磁弁１５０，２５０，３５０は、プランジャ及び／又はコアの形状が電磁弁５０と相違し、他の構成は電磁弁５０と同一である。そのため、図７から図９では、プランジャ及びコアの一部（形状が相違する部分）のみを示し、他の構成については図示を省略する。電磁弁１５０，２５０，３５０に関する他の構成については、図１から図４に示す電磁弁５０を参照されたい。また、電磁弁１５０，２５０，３５０のプランジャ及びコアについて、電磁弁５０のプランジャ４６及びコア１０と共通する構成については、電磁弁５０と同一又は下二桁が同一の参照番号を付すことにより説明を省略することがある。
【００３３】
（第２実施例）
図７に示す電磁弁１５０は、プランジャ１４６の傾斜部１５６及び大径部１５２が、コア１１０の第１収容部１６及び第２収容部１８に収容される順序が電磁弁５０と異なる。具体的には、プランジャ１４６が第１方向６２に移動開始して以降、プランジャ１４６の移動初期Ｔ０に第１収容部１６の角部と傾斜部１５６の最大径部分が近接し（破線７４で囲った部分）、移動中期Ｔ１に第２収容部１８の角部と大径部１５２の角部が近接する（破線７６で囲った部分）。
【００３４】
電磁弁１５０の場合、傾斜部１５６が第１収容部１６内を移動する距離が、大径部１５２が第２収容部１１８内を移動する距離よりも長い。傾斜部１５６が第１収容部１６内を移動する際、第１収容部１６の表面（内面）は、小径部１５４の表面と隙間を有した状態で対向する。そのため、第１収容部１６と小径部１５４の間に磁束が形成されにくく、傾斜部１５６が第１収容部１６内を移動するときに、プランジャ１４６に対して横方向（第３方向６６）の磁気吸引力が作用しにくい。一方、大径部１５２が第２収容部１１８内を移動するときは、第２収容部１１８の表面（内面）と大径部１５２の表面（外面）が近接した状態で移動する。そのため、第２収容部１１８と大径部１５２の間に磁束が形成されやすい。電磁弁１５０は、プランジャ１４６に対して横方向への磁気吸引力が作用しにくい状態でプランジャ１４６を長く移動させることにより、プランジャ１４６の移動速度の低下を抑制し、開弁時間を短くすることができる。
【００３５】
（第３実施例）
図８に示す電磁弁２５０は、プランジャ２４６が傾斜部５６と小径部２５４で構成されており、コア２１０は傾斜部５６を収容する第１収容部２１６を備えている。すなわち、電磁弁２５０と電磁弁５０を比較すると、電磁弁２５０は、プランジャ２４６が大径部を備えておらず、コア２１０が第２収容部を備えていない点が、電磁弁５０と異なる。このような形態であっても、プランジャ２４６の移動中期において、第１収容部２１６の表面と小径部２５４の表面の間に隙間が確保され、プランジャ２４６の移動中期においてプランジャ２４６の移動速度の低下を抑制することができる。
【００３６】
（第４実施例）
図９に示す電磁弁３５０は、プランジャ３４６が２個の傾斜部（第１傾斜部３５６ａ，第２傾斜部３５６ｂ）と２個の小径部（第１小径部３５４ａ，第２小径部３５４ｂ）を備えている。第１傾斜部３５６ａ及び第２傾斜部３５６ｂは、第１収容部３１６に収容される。電磁弁３５０では、プランジャ３４６の移動初期に、第１収容部３１６の角部と第１傾斜部３５６ａの最大径部分、及び、第２収容部３１８の角部と大径部３５２の角部が近接する。そのため、電磁弁３５０の開弁開始時に、プランジャ３４６に対してより大きな磁気吸引力が作用し、電磁弁３５０の応答性がさらに向上する。なお、プランジャ３４６の移動中期は、第１収容部３１６の角部と第２傾斜部３５６ｂの最大径部分が近接するため、プランジャ３４６の移動速度が低下することを抑制することができる。
【００３７】
（他の実施形態）
上記実施例では、プランジャに、略円錐状の傾斜部、円柱状の小径部、円柱状の大径部が設けられている例について説明した。すなわち、傾斜部、小径部及び大径部の断面形状が円形のプランジャについて説明した。しかしながら、傾斜部、小径部及び大径部の断面形状は円形に限定されず、例えば、多角形、楕円形であってもよい。また、例えば、傾斜部の断面形状が円形であり、小径部及び大径部の断面形状が多角形等、傾斜部、小径部及び大径部の何れかの断面形状の種類が、他の断面形状と異なっていてもよい。
【００３８】
第１〜第３実施例のプランジャに、第４実施例のプランジャと同様に、複数の傾斜部を設けてもよい。また、第１，第３及び第４実施例のプランジャにおいて、第２実施例のプランジャと同様に、傾斜部の第１収容部への収容が、大径部の第２収容部へに収容よりも先に行われてもよい。傾斜部及び大径部の収容の順序は、小径部の長さ（軸方向長さ）及び第２収容部の深さ（軸方向長さ）を変更することにより、適宜調整することができる。
【００３９】
以上、本発明の実施形態について詳細に説明したが、これらは例示に過ぎず、特許請求の範囲を限定するものではない。特許請求の範囲に記載の技術には、以上に例示した具体例を様々に変形、変更したものが含まれる。また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。
【符号の説明】
【００４０】
６：コイル
１０：コア
４６：プランジャ
５０：電磁弁
５２：第２サイズ部（大径部）
５４：第１サイズ部（小径部）
５６：傾斜部
６２：第１方向
６４：第２方向
【図１】
2020057703.tif 000003
【図２】
2020057703.tif 000004
【図３】
2020057703.tif 000005
【図４】
2020057703.tif 000006
【図５】
2020057703.tif 000007
【図６】
2020057703.tif 000008
【図７】
2020057703.tif 000009
【図８】
2020057703.tif 000010
【図９】
2020057703.tif 000011